【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
モバイル装置のユーザ設定を保存するための方法であって、
モバイル装置においてエンタープライズ・アプリケーションを開始し、前記モバイル装置の装置メモリからアプリケーション・メモリにクライアント特性ファイルを読み込むステップと、
サーバからの更新済み特性ファイルを前記装置メモリにおいて受け取るステップと、
前記更新済み特性ファイルの時間値を前記アプリケーション・メモリにおける前記クライアント特性ファイルの時間値と比較するステップと、
前記比較するステップに基づいて、前記クライアント特性ファイルおよび前記更新済み特性ファイルを調整して調整済み特性ファイルを生成するステップと、
前記調整済み特性ファイルを前記装置メモリに書き込むステップと
を含む方法。
【請求項２】
前記更新済み特性ファイルを受け取る前に前記クライアント特性ファイルを修正するステップを更に含み、
前記更新済み特性ファイルの時間値が前記修正されたクライアント特性ファイルの時間値と比較され、
前記修正されたクライアント特性ファイルが前記更新済み特性ファイルを用いて調整されて前記調整済み特性ファイルを生成する、
請求項１に記載の方法。
【請求項３】
前記受け取るステップの前に前記サーバからの前記前記更新済み特性ファイル要求するステップを更に含む、請求項１または請求項２に記載の方法。
【請求項４】
前記クライアント特性ファイルおよび前記更新済み特性ファイルが、それぞれ、前記エンタープライズ・アプリケーションの構成を含み、
前記クライアント特性ファイルが前記モバイル装置のユーザ設定を更に含む、
請求項１乃至請求項３のいずれかに記載の方法。
【請求項５】
前記比較するステップが前記クライアント特性ファイルの日付を前記更新済み特性ファイルの日付と比較するステップを含む、請求項１乃至請求項４のいずれかに記載の方法。
【請求項６】
前記調整するステップが、前記更新済み特性ファイルの前記時間値が前記クライアント特性ファイルの前記時間値とは異なる場合、前記更新済み特性ファイルおよび前記クライアント特性ファイルを調整して前記調整済み特性ファイルを生成するステップを更に含む、請求項１乃至請求項５のいずれかに記載の方法。
【請求項７】
モバイル装置のユーザ設定を保存するための方法であって、
モバイル装置においてエンタープライズ・アプリケーションを開始し、前記モバイル装置のクライアント・データベースからアプリケーション・メモリにクライアント特性ファイルを読み込むステップと、
サーバ・データベースから更新済み特性ファイルを前記モバイル装置の装置メモリに向け受け取るステップと、
前記クライアント・データベースにおける前記クライアント特性ファイルを用いて前記更新済み特性ファイルを調整して調整済み特性ファイルを生成するステップと、
前記クライアント・データベースにおける前記クライアント特性ファイルを前記調整済み特性ファイルと置換するステップと、
前記調整済み特性ファイルを前記サーバ・データベースに対して同期させるステップと
を含む方法。
【請求項８】
前記モバイル装置において前記調整済み特性ファイルのモバイル装置のユーザ設定を修正するステップを更に含み、
前記同期させるステップが前記修正された調整済み特性ファイルを前記サーバ・データベースに対して同期させるステップを含む、請求項７に記載の方法。
【請求項９】
前記読み込むステップが、
前記クライアント特性ファイルが前記クライアント・データベースにあるかどうかを決定するステップと、
前記クライアント特性ファイルが前記クライアント・データベースにない場合、前記装置メモリから前記クライアント特性ファイルを読み取るステップと、
前記クライアント特性ファイルを前記クライアント・データベースにコピーするステップと、
前記コピーするステップの後、前記装置メモリから前記クライアント特性ファイルを削除するステップと
を含む、請求項７または請求項８に記載の方法。
【請求項１０】
前記更新済み特性ファイルが、前記モバイル装置において受け取られる前に、他の特性ファイルを用いて調整される、請求項７乃至請求項９のいずれかに記載の方法。
【請求項１１】
前記受け取るステップの前に前記サーバ・データベースからの前記更新済み特性ファイルを要求するステップを更に含む、請求項７乃至請求項１０のいずれかに記載の方法。
【請求項１２】
モバイル装置のユーザ設定を保存するためのシステムであって、
モバイル装置において開始されたエンタープライズ・アプリケーションに対応するクライアント特性ファイルをアプリケーション・メモリに読み込むためのファイル読み込みシステムと、
サーバから更新済み特性ファイルを要求し、それを前記モバイル装置の装置メモリに向け受け取るためのファイル要求システムと、
前記更新済み特性ファイルの時間値を前記クライアント特性ファイルの時間値と比較するための時間値システムと、
前記比較の結果に基づいて、前記クライアント特性ファイルを用いて前記更新済み特性ファイルを調整して調整済み特性ファイルを生成するための調整システムと、
前記調整済み特性ファイルを前記装置メモリに書き込むためのファイル書き込みシステムと
を含むシネテム。
【請求項１３】
前記ファイル書き込みシステムが前記装置メモリにおける前記更新済みクライアント・ファイルを前記調整済み特性ファイルと置換する、請求項１２に記載のシステム。
【請求項１４】
モバイル装置のユーザ設定を保存するためのシステムであって、
モバイル装置において開始されたエンタープライズ・アプリケーションに対応するクライアント特性ファイルを、クライアント・データベースからアプリケーション・メモリに読み込むためのファイル読取リシステムと、
サーバ・データベースから更新済み特性ファイルを要求し、それを前記モバイル装置の装置メモリに向け受け取るためのファイル要求システムと、
前記クライアント・データベースにおける前記クライアント特性ファイルを用いて前記更新済み特性ファイルを調整して調整済み特性ファイルを生成するための調整システムと
前記クライアント・データベースにおける前記クライアント特性ファイルを前記調整済み特性ファイルと置換するためのファイル書き込みシステムと、
前記調整済み特性ファイルを前記サーバ・データベースに対して同期させるための同期化システムと
を含むシステム。
【請求項１５】
モバイル装置のユーザ設定を保存するための、記録可能な媒体上に記憶されるコンピュータ・プログラムであつて、当該モバイル装置に、
モバイル装置において開始されたエンタープライズ・アプリケーションに対応する特性ファイルをアプリケーション・メモリに読み込むステップと、
サーバから更新済み特性ファイルを要求し、それを前記モバイル装置の装置メモリに向け受け取るステップと、
前記更新済み特性ファイルの時間値を前記クライアント特性ファイルの時間値と比較するステップと、
前記比較の結果に基づいて、前記クライアント特性ファイルを用いて前記更新済み特性フアイルを調整して調整済み特性ファイルを生成するステップと、
前記調整済み特性ファイルを前記装置メモリに書き込むステップと
を実行させるための、コンピュータ・プログラム。
【請求項１６】
前記書き込むためのプログラム・コードが前記装置メモリにおける前記更新済みクライアント・ファイルを前記調整済み特性ファイルと置換する、請求項１５に記載のコンピュータ・プログラム。
【請求項１７】
モバイル装置のユーザ設定を保存するための、記録可能な媒体上に記憶されるコンピュータ・プログラムであつて、当該モバイル装置に、
モバイル装置において開始されたエンタープライズ・アプリケーションに対応するクライアント特性ファイルをクライアント・データベースからアプリケーション・メモリに読み込むステップと、
サーバ・データベースから更新済み特性ファイルを要求し、それを前記モバイル装置の装置メモリに向け受け取るステップと、
前記クライアント・データベースにおいて前記クライアント特性ファイルを用いて前記更新済み特性ファイルを調整して調整済み特性ファイルを生成するステップと、
前記クライアント・データベースにおける前記クライアント特性ファイルを前記調整済み特性ファイルと置換するステップと、
前記調整済み特性ファイルを前記サーバ・データベースに対して同期させるステップと
を実行させるための、コンピュータ・プログラム。